(57)【要約】  【課題】  ＤＶＤ規格に違反することなく、再生中に、ＤＶＤ規格で禁止されているスキップアップ／スキップダウンのユーザ操作でも処理を実行可能にする機能を有する光ディスク再生装置を提供する。  【解決手段】  再生中にスキップアップ／スキップダウンのユーザ操作があった場合、スキップアップ／スキップダウンが光ディスク上の制御情報のナビゲーションパックに含まれるユーザ操作制御情報により禁止されていると判定されると、当該再生は一旦停止される。当該再生が一旦停止された後、ＰＴＴ＿Ｐｌａｙ（）による処理が実行され、指定された情報が再生される。このような処理により、ＤＶＤ規格に違反することなく、再生中に、ＤＶＤ規格で禁止されているスキップアップ／スキップダウンのユーザ操作でも、スキップアップ／スキップダウンの処理を実行することができる。【選択図】      図４
2006338833.tif 000002
【特許請求の範囲】
【請求項１】
光ディスクに記録された情報を再生する光ディスク再生装置において、光ディスクの情
報の再生中にユーザ操作があった場合、当該ユーザ操作を認識するユーザ操作認識手段と
、前記認識された当該ユーザ操作がスキップアップ／スキップダウンであった場合、前記
スキップアップ／スキップダウンが前記光ディスク上の制御情報のナビゲーションパック
に含まれるユーザ操作制御情報により禁止されているか許可されているかを判定する操作
禁止／許可判定手段と、前記認識された当該ユーザ操作がスキップアップ／スキップダウ
ンであった場合、スキップアップのキー押下回数／スキップダウンのキー押下回数を検出
するキー押下回数検出手段と、後記のＰＴＴ＿Ｐｌａｙ（ｍ，ｎ）の引数として指定する
タイトル番号ｍは直前に再生していたタイトル番号とし、後記のＰＴＴ＿Ｐｌａｙ（ｍ，
ｎ）の引数として指定するチャプタ番号ｎは、直前に再生していたチャプタ番号をａ、前
記検出されたスキップアップのキー押下回数をｂ、前記検出されたスキップダウンのキー
押下回数をｃとしたとき、ｎ＝ａ＋ｂ−ｃという式で算出する引数算出手段と、当該スキ
ップアップ／スキップダウンが禁止されていると前記操作禁止／許可判定手段により判定
されたときは、当該再生を一旦停止させる再生一旦停止手段と、当該再生が前記再生一旦
停止手段により一旦停止された後、タイトル番号とチャプタ番号との両方を前記引数によ
り指定してサーチを行う処理であるＰＴＴ＿Ｐｌａｙ（ｍ，ｎ）を実行させ指定された情
報を再生させる停止後再生手段とを有するシステムコントローラを備えたことを特徴とす
る光ディスク再生装置。
【請求項２】
光ディスクに記録された情報を再生する光ディスク再生装置において、光ディスクの情
報の再生中にスキップアップ／スキップダウンのユーザ操作があった場合、当該ユーザ操
作が禁止されているか許可されているかを判定し、禁止されているとき、当該再生を一旦
停止させ、この後、当該ユーザ操作による処理を実行させ、指定された情報を再生させる
ように制御を行うシステムコントローラを備えたことを特徴とする光ディスク再生装置。
【請求項３】
当該ユーザ操作が禁止されているか許可されているかの判定は、光ディスク上の制御情
報のナビゲーションパックに含まれるユーザ操作制御情報により行うことを特徴とする請
求項２に記載の光ディスク再生装置。
【請求項４】
前記システムコントローラは、光ディスクの情報の再生中にユーザ操作があった場合、
当該ユーザ操作を認識するユーザ操作認識手段と、前記認識された当該ユーザ操作がスキ
ップアップ／スキップダウンであった場合、前記スキップアップ／スキップダウンが前記
光ディスク上の制御情報のナビゲーションパックに含まれるユーザ操作制御情報により禁
止されているか許可されているかを判定する操作禁止／許可判定手段と、前記認識された
当該ユーザ操作がスキップアップ／スキップダウンであった場合、スキップアップのキー
押下回数／スキップダウンのキー押下回数を検出するキー押下回数検出手段と、前記キー
押下回数に基いて後記ＰＴＴ＿Ｐｌａｙ（）の引数を算出する引数算出手段と、当該スキ
ップアップ／スキップダウンが禁止されていると前記操作禁止／許可判定手段により判定
されたときは、当該再生を一旦停止させる再生一旦停止手段と、当該再生が前記再生一旦
停止手段により一旦停止された後、タイトル番号とチャプタ番号との両方を前記引数によ
り指定してサーチを行う処理であるＰＴＴ＿Ｐｌａｙ（）を実行させ指定された情報を再
生させる停止後再生手段とを有することを特徴とする請求項２に記載の光ディスク再生装
置。
【請求項５】
前記引数算出手段は、ＰＴＴ＿Ｐｌａｙ（ｍ，ｎ）の引数として指定するタイトル番号
ｍは、直前に再生していたタイトル番号とし、ＰＴＴ＿Ｐｌａｙ（ｍ，ｎ）の引数として
指定するチャプタ番号ｎは、直前に再生していたチャプタ番号をａ、前記検出されたスキ
ップアップのキー押下回数をｂ、前記検出されたスキップダウンのキー押下回数をｃとし
たとき、ｎ＝ａ＋ｂ−ｃという式で算出することを特徴とする請求項４に記載の光ディス
ク再生装置。
【発明の詳細な説明】
【技術分野】
【０００１】
本発明は、光ディスクに記録された情報を再生する光ディスク再生装置に関し、特に、
ユーザ操作の可否を制御するユーザ操作制御情報が付加的に記録されている光ディスクに
対する再生中のスキップアップ／スキップダウンのユーザ操作についての処理に関する。
【背景技術】
【０００２】
近年において普及してきているＤＶＤ（デジタル・バーサタイル・ディスク）ビデオの
光ディスクでは、ディスクメーカ側において、頭出し、早送り、早戻しなどの機能につい
てのユーザ操作（ＵＯＰ）を禁止する情報を書き込むことによって、ユーザ操作を制限す
ることができるようになっている。
【０００３】
図５はＤＶＤビデオの光ディスクへの禁止情報の書込みによりユーザ操作を制御し得る
ユーザ機能を示す図である。この図５において、Ｙｅｓは、対応するユーザ機能について
のユーザ操作が、対応するタイトル・サーチポインタ・テーブル（ＴＴ＿ＳＲＰＴ）、プ
ログラム・チェーン情報（ＰＧＣＩ）またはビデオ・オブジェクト・ユニット（ＶＯＢＵ
）におけるユーザ操作ビット（ＵＯＰビット）により制御することができることを示し、
Ｎｏは制御できないことを示している。
【０００４】
このような光ディスクを再生する光ディスク再生装置では、光ディスクを再生し、図５
に示すようなユーザ操作の許可または禁止を示すユーザ操作制御情報、即ち、光ディスク
上の制御情報のナビゲーションパック（ＮＶ＿ＰＣＫ）に含まれるビデオ・オブジェクト
・ユニット（ＶＯＢＵ）のユーザ操作制御（ＶＯＢＵ＿ＵＯＰ＿ＣＴＬ）情報を読み込ん
だ後、ユーザが禁止されているユーザ操作を行った場合には、当該光ディスクでは、その
ユーザ操作が禁止されていることを示す旨の警告をマーク表示などにより行うと共に、そ
のユーザ操作に対応するユーザ機能を実行しないようにしている。
【特許文献１】特開２００２−２６９７５４号公報
【特許文献２】特開２００４−９６４０１号公報
【特許文献３】特開２００４−３４８９６６号公報
【発明の開示】
【発明が解決しようとする課題】
【０００５】
前述したように従来の光ディスク再生装置では、光ディスクに予め記録されたユーザ操
作制御情報でユーザ操作（ＵＯＰ）によるキー入力を禁止するか許可するかを判定してい
る。したがって、再生している箇所が、例えば、スキップアップ（ＮｅｘｔＰＧ＿Ｓｅａ
ｒｃｈ（））／スキップダウン（ＰｒｅｖＰＧ＿Ｓｅａｒｃｈ（））を禁止している場合
、再生中にスキップアップ／スキップダウンをユーザがスキップアップキー／スキップダ
ウンキーの操作で行おうとしても、スキップアップ／スキップダウンは実行されない。こ
のときは、禁止マークなどが表示され、処理が無効となる。
【０００６】
上記のようなスキップアップ／スキップダウンの処理は、ＤＶＤ規格で定められている
ので、再生中には、ユーザ操作を受け付けず、実行されないようになっている。したがっ
て、ディスク制作者（記録情報の作者）は、例えば、宣伝広告をユーザ側に見せたい場合
、再生中には、その宣伝広告の部分が飛ばないように、上記の処理が実行されないように
しているが、ユーザにとっては、何回も宣伝広告を見たくない場合がある。
【０００７】
しかしながら、従来の光ディスク再生装置では、再生中、スキップアップ／スキップダ
ウンの処理が禁止されている場合、スキップアップ／スキップダウンの処理が実行されな
いようになっているので、ユーザにとっては使い勝手が悪い場合があるという課題が生じ
る。
【０００８】
なお、特許文献１の従来技術は、再生を開始する前に、ユーザ操作の可否を制御する可
否制御情報を記録媒体から読み出すことにより、禁止されているユーザ操作を再生開始前
に知ることができるようにしているが、再生中、スキップアップ／スキップダウンの処理
を禁止している場合でも、スキップアップ／スキップダウンの処理を実行できるようにし
たものではない。
【０００９】
特許文献２の従来技術は、再生処理における操作キーの有効／無効が、実際に操作キー
を押すことなく、事前に分るようにし、例えば、スキップアップ指令のキー操作がされる
と、再生制御情報（ユーザ操作制御情報）の内容からスキップアップが禁止されている場
合、禁止されている旨をディスプレイ画面に表示するようにしているが、この従来技術も
、再生中、スキップアップ／スキップダウンの処理を禁止している場合でも、スキップア
ップ／スキップダウンの処理を実行できるようにしたものではない。
【００１０】
特許文献３の従来技術は、再生制御情報に含まれるユーザ操作制御情報からユーザ操作
の可否を決めるユーザ操作ビット群を取り出し、そのユーザ操作ビット群がユーザ操作を
禁止する内容を含むときに、このユーザ操作群の内容で禁止されない操作キーを通知また
は選択的に表示するようにしているが、この従来技術も、再生中、スキップアップ／スキ
ップダウンの処理を禁止している場合でも、スキップアップ／スキップダウンの処理を実
行できるようにしたものではない。
【００１１】
本発明は、上記のような課題を解決するためになされたもので、ＤＶＤ規格に違反する
ことなく、再生中に、ＤＶＤ規格で禁止されているスキップアップ／スキップダウンのユ
ーザ操作でも処理を実行可能にする機能を有する光ディスク再生装置を提供することを目
的とする。
【課題を解決するための手段】
【００１２】
上記目的を達成するために、請求項１の発明は、光ディスクの情報の再生中にユーザ操
作があった場合、当該ユーザ操作を認識するユーザ操作認識手段と、前記認識された当該
ユーザ操作がスキップアップ／スキップダウンであった場合、前記スキップアップ／スキ
ップダウンが前記光ディスク上の制御情報のナビゲーションパックに含まれるユーザ操作
制御情報により禁止されているか許可されているかを判定する操作禁止／許可判定手段と
、前記認識された当該ユーザ操作がスキップアップ／スキップダウンであった場合、スキ
ップアップのキー押下回数／スキップダウンのキー押下回数を検出するキー押下回数検出
手段と、後記のＰＴＴ＿Ｐｌａｙ（ｍ，ｎ）の引数として指定するタイトル番号ｍは直前
に再生していたタイトル番号とし、後記のＰＴＴ＿Ｐｌａｙ（ｍ，ｎ）の引数として指定
するチャプタ番号ｎは、直前に再生していたチャプタ番号をａ、前記検出されたスキップ
アップのキー押下回数をｂ、前記検出されたスキップダウンのキー押下回数をｃとしたと
き、ｎ＝ａ＋ｂ−ｃという式で算出する引数算出手段と、当該スキップアップ／スキップ
ダウンが禁止されていると前記操作禁止／許可判定手段により判定されたときは、当該再
生を一旦停止させる再生一旦停止手段と、当該再生が前記再生一旦停止手段により一旦停
止された後、タイトル番号とチャプタ番号との両方を前記引数により指定してサーチを行
う処理であるＰＴＴ＿Ｐｌａｙ（ｍ，ｎ）を実行させ指定された情報を再生させる停止後
再生手段とを有するシステムコントローラを備えたことを特徴とする光ディスク再生装置
を提供する。
【００１３】
この構成において、光ディスクの情報の再生中にユーザ操作があった場合、当該ユーザ
操作がユーザ操作認識手段により認識され、前記認識された当該ユーザ操作がスキップア
ップ／スキップダウンであった場合、前記スキップアップ／スキップダウンが、前記光デ
ィスク上の制御情報のナビゲーションパックに含まれるユーザ操作制御情報により禁止さ
れているか許可されているかが操作禁止／許可判定手段により判定される。
【００１４】
また、スキップアップのキー押下回数／スキップダウンのキー押下回数がキー押下回数
検出手段により検出され、ＰＴＴ＿Ｐｌａｙ（ｍ，ｎ）の引数として指定するタイトル番
号ｍは、直前に再生していたタイトル番号とし、ＰＴＴ＿Ｐｌａｙ（ｍ，ｎ）の引数とし
て指定するチャプタ番号ｎは、直前に再生していたチャプタ番号をａ、前記検出されたス
キップアップのキー押下回数をｂ、前記検出されたスキップダウンのキー押下回数をｃと
したとき、ｎ＝ａ＋ｂ−ｃという式で引数算出手段により算出される。
【００１５】
前記スキップアップ／スキップダウンが禁止されていると判定されたときは、当該再生
は再生一旦停止手段により一旦停止される。当該再生が一旦停止された後、停止後再生手
段により、ＰＴＴ＿Ｐｌａｙ（ｍ，ｎ）による処理が実行され、指定された情報が再生さ
れる。
【００１６】
この構成によれば、ＤＶＤ規格に違反することなく、再生中に、ＤＶＤ規格で禁止され
ているスキップアップ／スキップダウンのユーザ操作でも、スキップアップ／スキップダ
ウンの処理を実行可能にする。
【００１７】
請求項２の発明は、光ディスクの情報の再生中にスキップアップ／スキップダウンのユ
ーザ操作があった場合、当該ユーザ操作が禁止されているか許可されているかを判定し、
禁止されているとき、当該再生を一旦停止させ、この後、当該ユーザ操作による処理を実
行させ、指定された情報を再生させるように制御を行うシステムコントローラを備えたこ
とを特徴とする光ディスク再生装置を提供する。
【００１８】
この構成において、光ディスクの情報の再生中にスキップアップ／スキップダウンのユ
ーザ操作があった場合、当該ユーザ操作が禁止されているか許可されているかが判定され
、禁止されているとき、当該再生が一旦停止され、この後、当該ユーザ操作による処理が
実行され、指定された情報が再生される。
【００１９】
この構成によれば、ＤＶＤ規格に違反することなく、再生中に、ＤＶＤ規格で禁止され
ているスキップアップ／スキップダウンのユーザ操作でも、スキップアップ／スキップダ
ウンの処理を実行可能にする。
【００２０】
請求項３の発明では、請求項２の発明において、当該ユーザ操作が禁止されているか許
可されているかの判定は、光ディスク上の制御情報のナビゲーションパックに含まれるユ
ーザ操作制御情報により行うので、当該ユーザ操作が禁止されているか許可されているか
の判定が可能になる。
【００２１】
請求項４の発明は、請求項２の発明において、前記システムコントローラは、光ディス
クの情報の再生中にユーザ操作があった場合、当該ユーザ操作を認識するユーザ操作認識
手段と、前記認識された当該ユーザ操作がスキップアップ／スキップダウンであった場合
、前記スキップアップ／スキップダウンが前記光ディスク上の制御情報のナビゲーション
パックに含まれるユーザ操作制御情報により禁止されているか許可されているかを判定す
る操作禁止／許可判定手段と、前記認識された当該ユーザ操作がスキップアップ／スキッ
プダウンであった場合、スキップアップのキー押下回数／スキップダウンのキー押下回数
を検出するキー押下回数検出手段と、前記キー押下回数に基いて後記ＰＴＴ＿Ｐｌａｙ（
）の引数を算出する引数算出手段と、当該スキップアップ／スキップダウンが禁止されて
いると前記操作禁止／許可判定手段により判定されたときは、当該再生を一旦停止させる
再生一旦停止手段と、当該再生が前記再生一旦停止手段により一旦停止された後、タイト
ル番号とチャプタ番号との両方を前記引数により指定してサーチを行う処理であるＰＴＴ
＿Ｐｌａｙ（）を実行させ指定された情報を再生させる停止後再生手段とを有する。
【００２２】
したがって、前記システムコントローラは、ユーザ操作認識処理、操作禁止／許可判定
処理、キー押下回数検出処理、引数算出処理、再生一旦停止処理、および停止後再生処理
を実現でき、これにより、再生中、ユーザ操作を禁止しているスキップアップ／スキップ
ダウンの処理をＤＶＤ規格に違反することなく実行することが可能になる。
【００２３】
請求項５の発明では、請求項４の発明において、前記引数算出手段は、ＰＴＴ＿Ｐｌａ
ｙ（ｍ，ｎ）の引数として指定するタイトル番号ｍは、直前に再生していたタイトル番号
とし、ＰＴＴ＿Ｐｌａｙ（ｍ，ｎ）の引数として指定するチャプタ番号ｎは、直前に再生
していたチャプタ番号をａ、前記検出されたスキップアップのキー押下回数をｂ、前記検
出されたスキップダウンのキー押下回数をｃとしたとき、ｎ＝ａ＋ｂ−ｃという式で算出
するので、ＰＴＴ＿Ｐｌａｙ（ｍ，ｎ）の引数を設定することができ、タイトル番号とチ
ャプタ番号との両方を指定してサーチすることが可能になる。
【発明の効果】
【００２４】
以上のように本発明によれば、光ディスクの情報の再生中にユーザ操作があった場合、
当該ユーザ操作を認識するユーザ操作認識手段と、前記認識された当該ユーザ操作がスキ
ップアップ／スキップダウンであった場合、前記スキップアップ／スキップダウンが前記
光ディスク上の制御情報のナビゲーションパックに含まれるユーザ操作制御情報により禁
止されているか許可されているかを判定する操作禁止／許可判定手段と、前記認識された
当該ユーザ操作がスキップアップ／スキップダウンであった場合、スキップアップのキー
押下回数／スキップダウンのキー押下回数を検出するキー押下回数検出手段と、後記のＰ
ＴＴ＿Ｐｌａｙ（ｍ，ｎ）の引数として指定するタイトル番号ｍは直前に再生していたタ
イトル番号とし、後記のＰＴＴ＿Ｐｌａｙ（ｍ，ｎ）の引数として指定するチャプタ番号
ｎは、直前に再生していたチャプタ番号をａ、前記検出されたスキップアップのキー押下
回数をｂ、前記検出されたスキップダウンのキー押下回数をｃとしたとき、ｎ＝ａ＋ｂ−
ｃという式で算出する引数算出手段と、当該スキップアップ／スキップダウンが禁止され
ていると前記操作禁止／許可判定手段により判定されたときは、当該再生を一旦停止させ
る再生一旦停止手段と、当該再生が前記再生一旦停止手段により一旦停止された後、タイ
トル番号とチャプタ番号との両方を前記引数により指定してサーチを行う処理であるＰＴ
Ｔ＿Ｐｌａｙ（ｍ，ｎ）を実行させ指定された情報を再生させる停止後再生手段とを有す
るシステムコントローラを備えたので、ＤＶＤ規格に違反することなく、再生中に、ＤＶ
Ｄ規格で禁止されているスキップアップ／スキップダウンのユーザ操作でも、スキップア
ップ／スキップダウンの処理を実行可能になり、これにより、ユーザにとっては使い勝手
が良くなる。
【００２５】
また、本発明によれば、光ディスクの情報の再生中にスキップアップ／スキップダウン
のユーザ操作があった場合、当該ユーザ操作が禁止されているか許可されているかを判定
し、禁止されているとき、当該再生を一旦停止させ、この後、当該ユーザ操作による処理
を実行させ、指定された情報を再生させるように制御を行うシステムコントローラを備え
たので、ＤＶＤ規格に違反することなく、再生中に、ＤＶＤ規格で禁止されているスキッ
プアップ／スキップダウンのユーザ操作でも、スキップアップ／スキップダウンの処理を
実行可能になり、これにより、ユーザにとっては使い勝手が良くなる。
【発明を実施するための最良の形態】
【００２６】
以下、添付図面を参照しつつ、本発明の実施の形態について説明する。図１は本発明の
一実施形態に係る光ディスク再生装置の構成を示すブロック図である。
【００２７】
この光ディスク再生装置は、光ディスク（ＤＶＤ等）１を回転させるスピンドルモータ
５と、光ディスク１に記録された情報を再生するためのレーザ光を出射すると共に光ディ
スク１からの反射光を受光する光ピックアップ２と、この光ピックアップ２を光ディスク
１の半径方向に移動させるためのスレッド３と、装置全体を制御するシステムコントロー
ラ２２と、このシステムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００２８】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータと映像データとを分離す
るストリーム分離部９とを備えている。
【００２９】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力された映像デー
タを入力して所定のデコード処理を行うビデオデコーダ１５と、このビデオデコーダ１５
でのデコード処理を行うためにデータを一時的に格納するＲＡＭ１４とを備えている。
【００３０】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００３１】
また、この光ディスク再生装置は、システムコントローラ２２に対して、再生指示を与
えるための再生キー（図示せず）、再生停止を指示するための停止キー（図示せず）、早
送りキー（図示せず）、早戻しキー（図示せず）、その他各種操作キー（図示せず）を有
するリモコン２６を備えると共に、リモコン２６の操作キーよりは少ない個数の操作キー
を有し、またリモコン２６からの操作指令を示す光信号を受信する受光手段（図示せず）
により光信号を電気信号に変換してシステムコントローラ２２に指令信号を入力する操作
部２１を備えている。
【００３２】
また、この光ディスク再生装置は、装置の各構成要素を制御したり、装置全体を制御し
たりするためのプログラムやデータなどを記憶するフラッシュＲＯＭ２３と、このフラッ
シュＲＯＭ２３のプログラムやデータに従って演算処理を行いシステムコントローラ２２
を制御するＣＰＵ２４と、このＣＰＵ２４の演算処理に必要なデータを一時的に格納する
ＲＡＭ２７と、操作部２１またはリモコン２６からの操作内容などを表示したりする本体
側の表示部２５とを備えている。
【００３３】
システムコントローラ２２は、本実施形態の特徴とする構成要素として、光ディスク１
の情報の再生中にユーザ操作があった場合、当該ユーザ操作を認識するユーザ操作認識手
段２２１と、前記認識された当該ユーザ操作がスキップアップ／スキップダウンであった
場合、前記スキップアップ／スキップダウンが光ディスク１上の制御情報のナビゲーショ
ンパックに含まれるユーザ操作制御情報により禁止されているか許可されているかを判定
する操作禁止／許可判定手段２２２と、前記認識された当該ユーザ操作がスキップアップ
／スキップダウンであった場合、スキップアップのキー押下回数／スキップダウンのキー
押下回数を検出するキー押下回数検出手段２２３と、前記キー押下回数に基いて後記ＰＴ
Ｔ＿Ｐｌａｙ（）の引数を算出する引数算出手段２２４と、当該スキップアップ／スキッ
プダウンが禁止されていると前記操作禁止／許可判定手段２２２により判定されたときは
、当該再生を一旦停止させる再生一旦停止手段２２５と、当該再生が前記再生一旦停止手
段により一旦停止された後、タイトル番号とチャプタ番号との両方を前記引数により指定
してサーチを行う処理であるＰＴＴ＿Ｐｌａｙ（）を実行させ指定された情報を再生させ
る停止後再生手段２２６とを有する。
【００３４】
図２は本実施形態においてＤＶＤビデオの光ディスクに記録されているデータ構造を示
す図である。図２において、ビデオ・オブジェクト・セット（ＶＯＢＳ）は、複数のビデ
オ・オブジェクト（ＶＯＢ）、即ち、（Ｖ０Ｂ＿ＩＤＮ１），（Ｖ０Ｂ＿ＩＤＮ２），・
・・，（Ｖ０Ｂ＿ＩＤＮｉ）から構成される。前記ＩＤＮ１，ＩＤＮ２，・・・，ＩＤＮ
ｉは、識別番号を示す。そして、各ビデオ・オブジェクト（ＶＯＢ）は複数のセル（Ｃｅ
ｌｌ）から構成されている。例えば、ビデオ・オブジェクト（Ｖ０Ｂ＿ＩＤＮ１）は、複
数のセル（Ｃ＿ＩＤＮ１），（Ｃ＿ＩＤＮ２），・・・，（Ｃ＿ＩＤＮｊ）から構成され
る。なお、前記ＩＤＮ１，ＩＤＮ２，・・・，ＩＤＮｊは、識別番号を示す。
【００３５】
例えば、セル（Ｃ＿ＩＤＮ１）は、複数のビデオ・オブジェクト・ユニット（ＶＯＢＵ
）から構成される。各ビデオ・オブジェクト・ユニット（ＶＯＢＵ）は、ナビゲーション
パック（ＮＶ＿ＰＣＫ）、オーディオパック（Ａ＿ＰＣＫ）、ビデオパック（Ｖ＿ＰＣＫ
）、およびサブピクチャパック（ＳＰ＿ＰＣＫ）を含み構成される。
【００３６】
前記ナビゲーションパック（ＮＶ＿ＰＣＫ）および前記オーディオパック（Ａ＿ＰＣＫ
）は、例えば２０４８バイトで構成され、例えば、１４バイトのパックヘッダー（Ｐａｃ
ｋ  ｈｅａｄｅｒ）、２４バイトのシステムヘッダー（Ｓｙｓｔｅｍ  ｈｅａｄｅｒ）、
６バイトのパケットヘッダー（Ｐａｃｋｅｔ  ｈｅａｄｅｒ）、１バイトのサブストリー
ム識別子（Ｓｕｂ＿ｓｔｒｅａｍ＿ｉｄ）、９７９バイトのプレイコントロール情報デー
タ（ＰＣＩ  ｄａｔａ）、６バイトのパケットヘッダー（Ｐａｃｋｅｔ  ｈｅａｄｅｒ）
、１バイトのサブストリーム識別子（Ｓｕｂ＿ｓｔｒｅａｍ＿ｉｄ）、および１０１７バ
イトのデータサーチ情報データ（ＤＳＩ  ｄａｔａ）から構成される。
【００３７】
６バイトのパケットヘッダー（Ｐａｃｋｅｔ  ｈｅａｄｅｒ）と１バイトのサブストリ
ーム識別子（Ｓｕｂ＿ｓｔｒｅａｍ＿ｉｄ）と９７９バイトのプレイコントロール情報デ
ータ（ＰＣＩ  ｄａｔａ）とにより、プレイコントロール・パケット（ＰＣＩ＿ＰＫＴ）
を構成する。６バイトのパケットヘッダー（Ｐａｃｋｅｔ  ｈｅａｄｅｒ）と１バイトの
サブストリーム識別子（Ｓｕｂ＿ｓｔｒｅａｍ＿ｉｄ）と１０１７バイトのデータサーチ
情報データ（ＤＳＩ  ｄａｔａ）とにより、データサーチ情報パケット（ＤＳＩ＿ＰＫＴ
）を構成する。
【００３８】
図３は図２中のプレイコントロール情報データ（ＰＣＩ  ｄａｔａ）の内容を説明する
ための図である。図３において、３１はプレイコントロール情報データの内容を示し、３
２はＰＣＩの一般情報の内容を示す。３３はＶＯＢＵのユーザ操作制御（ＶＯＢＵ＿ＵＯ
Ｐ＿ＣＴＬ）の内容を示す。
【００３９】
プレイコントロール情報データ（ＰＣＩ  ｄａｔａ）は、ＰＣＩの一般情報とノンシー
ムレス用アングル情報とハイライト情報と記録情報とを含んでいる。前記ＰＣＩの一般情
報は、ナビゲーションパックの論理ブロック、ビデオ・オブジェクト・ユニット（ＶＯＢ
Ｕ）のカテゴリ、ビデオ・オブジェクト・ユニット（ＶＯＢＵ）のユーザ操作制御、ビデ
オ・オブジェクト・ユニット（ＶＯＢＵ）の再生開始時間、ビデオ・オブジェクト・ユニ
ット（ＶＯＢＵ）の再生終了時間、ビデオ・オブジェクト・ユニット（ＶＯＢＵ）内シー
ケンス終了コードによる再生終了時間、セル経過時間、および予約の情報を含んでいる。
【００４０】
ビデオ・オブジェクト・ユニット（ＶＯＢＵ）のユーザ操作制御（ＶＯＢＵ＿ＵＯＰ＿
ＣＴＬ）情報は、タイトル・サーチ・ポインタ・テーブル（ＴＴ＿ＳＲＰＴ）によって各
ビデオ・タイトル・セット（ＶＴＳ）をサーチし、その先頭のビデオ・タイトル・セット
情報（ＶＴＳＩ）に基づいて、そのビデオ・タイトル・セットの最後のビデオ・オブジェ
クト・ユニット（ＶＯＢＵ）をサーチし、そのナビゲーションパック（ＮＶ＿ＰＣＫ）に
おけるプレイコントロール情報（ＰＣＩ）の一般情報から得ることができる。
【００４１】
ビデオ・オブジェクト・ユニット（ＶＯＢＵ）のユーザ操作制御（ＶＯＢＵ＿ＵＯＰ＿
ＣＴＬ）情報によれば、ユーザ操作ビットｂ３〜ｂ１６およびｂ１８〜ｂ２４により、対
応するユーザ機能のユーザ操作が制御される。各ユーザ操作ビットが０のときは対応する
ユーザ機能のユーザ操作を許可し、各ユーザ操作ビットが１のときは禁止することを意味
する。
【００４２】
図４は本実施形態においてスキップアップ／スキップダウンのユーザ操作に対する処理
を説明するためのフローチャートである。このフローチャートおよび図１〜図３，図５を
参照してスキップアップ／スキップダウンのユーザ操作に対する処理について説明する。
【００４３】
この場合の光ディスク１はＤＶＤであり、この光ディスク１が装填されると、この光デ
ィスク再生装置のシステムコントローラ２２は、光ディスク１の装填を検出し（ステップ
Ｓ１）、光ディスク１を立ち上げる（ステップＳ２）。光ディスク１が立ち上がった後、
例えばリモコン２６の再生キーが押下され、この再生キーの押下をシステムコントローラ
２２が検出すると（ステップＳ３）、これにより、システムコントローラ２２は、サーボ
制御部４を介してスピンドルモータ５を回転させることにより、光ディスク１を回転させ
ると共に、サーボ制御部４を介して光ピックアップ２を駆動させて、光ディスク１の情報
の再生を開始させる（ステップＳ４）。
【００４４】
このような処理により再生が行われている時、システムコントローラ２２は、光ディス
ク１に対して再生中であると判定し（ステップＳ５）、ここで、例えばリモコン２６のス
キップアップキーまたはスキップダウンキーが押下されると（ステップＳ６）、このキー
の押下は、スキップアップまたはスキップダウンを行うためのユーザ操作として、システ
ムコントローラ２２のユーザ操作認識手段２２１により認識される。
【００４５】
システムコントローラ２２の操作禁止／許可判定手段２２２は、ナビゲーションパック
（ＮＶ＿ＰＣＫ）に含まれるビデオ・オブジェクト・ユニット（ＶＯＢＵ）のユーザ操作
制御（ＶＯＢＵ＿ＵＯＰ＿ＣＴＬ）情報をチェックして、スキップアップ（ＮｅｘｔＰＧ
＿Ｓｅａｒｃｈ（））またはスキップダウン（ＰｒｅｖＰＧ＿Ｓｅａｒｃｈ（））は禁止
であるか否かを判定する（ステップＳ７）。
【００４６】
また、システムコントローラ２２のキー押下回数検出手段２２３は、スキップアップの
キー押下回数またはスキップダウンのキー押下回数を検出し（ステップＳ８）、ＰＴＴ＿
Ｐｌａｙ（ｍ，ｎ）の引数として指定するタイトル番号ｍは直前に再生していたタイトル
番号とし、ＰＴＴ＿Ｐｌａｙ（ｍ，ｎ）の引数として指定するチャプタ番号ｎは、直前に
再生していたチャプタ番号をａ、前記検出されたスキップアップのキー押下回数をｂ、前
記検出されたスキップダウンのキー押下回数をｃとしたとき、ｎ＝ａ＋ｂ−ｃという式で
引数算出手段により算出される（ステップＳ９）。
【００４７】
前記スキップアップまたはスキップダウンが禁止されていないと判定されたときは（ス
テップＳ７）、前記スキップアップまたはスキップダウンの処理が実行されるが（ステッ
プＳ１２）、前記スキップアップまたはスキップダウンが禁止されていると判定されたと
きは（ステップＳ７）、再生一旦停止手段２２５は一旦当該再生を一旦停止させる（ステ
ップＳ１０）。当該再生が一旦停止された後、システムコントローラ２２の停止後再生手
段２２６は、ＰＴＴ＿Ｐｌａｙ（）による処理を実行し、指定されたタイトルを再生させ
る（ステップＳ１１）。なお、停止時、再生中の映像は出画したままにしておいても良い
。
【００４８】
例えば、直前に再生していたＴＴ（タイトル）番号を「３」とすると、引数として指定
するＴＴ番号ｍは「３」となり、直前に再生していたＣＨＰ（チャプタ）番号ａを「１０
」、スキップアップキーの押下回数ｂを「２」、スキップダウンキーの押下回数ｃを「０
」とすると、引数として指定するＣＨＰ番号ｎは、ｎ＝ａ＋ｂ−ｃより、「１２」となる
。したがって、前記ＰＴＴ＿Ｐｌａｙ（）は、ＰＴＴ＿Ｐｌａｙ（ｍ，ｎ）として、ＰＴ
Ｔ＿Ｐｌａｙ（３，１２）になり、これは、タイトル３のチャプタ１２へジャンプして再
生を行わせることになる。
【００４９】
また、直前に再生していたＴＴ（タイトル）番号を「２」とすると、引数として指定す
るＴＴ番号ｍは「２」となり、直前に再生していたＣＨＰ（チャプタ）番号ａを「１０」
、スキップアップキーの押下回数ｂを「０」、スキップダウンキーの押下回数ｃを「３」
とすると、引数として指定するＣＨＰ番号ｎは、ｎ＝ａ＋ｂ−ｃより、「７」となる。し
たがって、前記ＰＴＴ＿Ｐｌａｙ（）は、ＰＴＴ＿Ｐｌａｙ（ｍ，ｎ）として、ＰＴＴ＿
Ｐｌａｙ（２，７）になり、これは、タイトル２のチャプタ７へジャンプして再生を行わ
せることになる。
【００５０】
以上説明したように本実施形態によれば、ＤＶＤ規格に違反することなく、再生中に、
ＤＶＤ規格で禁止されているスキップアップ／スキップダウンのユーザ操作でも、スキッ
プアップ／スキップダウンの処理を実行可能にし、これにより、ユーザにとっては使い勝
手が良くなる。
【図面の簡単な説明】
【００５１】
【図１】本発明の一実施形態に係る光ディスク再生装置の構成を示すブロック図である。
【図２】前記実施形態においてＤＶＤビデオの光ディスクに記録されているデータ構造を示す図である。
【図３】図２中のプレイコントロール情報データ（ＰＣＩ  ｄａｔａ）の内容を説明するための図である。
【図４】前記実施形態においてスキップアップ／スキップダウンのユーザ操作に対する処理を説明するためのフローチャートである。
【図５】ＤＶＤビデオの光ディスクへの禁止情報の書込みによりユーザ操作を制御し得るユーザ機能を示す図である。
【符号の説明】
【００５２】
１    光ディスク
２２    システムコントローラ
２２１    ユーザ操作認識手段
２２２    操作禁止／許可判定手段
２２３    キー押下回数検出手段
２２４    引数算出手段
２２５    再生一旦停止手段
２２６    停止後再生手段
【図１】
2006338833.tif 000003
【図２】
2006338833.tif 000004
【図３】
2006338833.tif 000005
【図４】
2006338833.tif 000006
【図５】
2006338833.tif 000007